(57)【特許請求の範囲】
【請求項１】
設置面に対し接地する設置足部をそれぞれ備え、単独自立不能な第１支持脚部材及び第２支持脚部材と、
前記第１支持脚部材及び前記第２支持脚部材の上端部近傍にそれぞれ孔設された第１貫通孔及び第２貫通孔と、
前記第１支持脚部材の前記第１貫通孔と前記第２支持脚部材の前記第２貫通孔とに遊嵌される棒部材と、
を有し、
前記棒部材が、前記第１支持脚部材を前記第２支持脚部材側に傾かせるとともに前記第２支持脚部材を前記第１支持脚部材側に傾かせた状態で前記第１貫通孔及び前記第２貫通孔に略水平な姿勢で挿抜自在に挿通されることにより、
前記第１支持脚部材と略水平な姿勢の前記棒部材とが互いに係止されるとともに前記第２支持脚部材と略水平な姿勢の前記棒部材とが互いに係止されて、前記第１支持脚部材、前記第２支持脚部材、前記棒部材による自立連設体が構築され、
前記自立連設体に備えられる前記棒部材を、衣装を吊り下げるための第１支持領域、若しくは、前記衣装又は寝具を掛置きするための第２支持領域とした、
ことを特徴とする自立支持装置。
【請求項２】
請求項１記載の自立支持装置において、
前記第１支持脚部材、前記第２支持脚部材、前記棒部材による前記自立連設体は、側面視で略等脚台形状となる支持構造を形成する
ことを特徴とする自立支持装置。
【請求項３】
請求項２記載の自立支持装置において、
前記第１貫通孔及び前記第２貫通孔の内径は、
前記棒部材の外径の１１０％以上１１６％以下の大きさである
ことを特徴とする自立支持装置。
【請求項４】
請求項２又は請求項３記載の自立支持装置において、
前記第１支持脚部材及び前記第２支持脚部材は、
略直線状に延びる基部と、前記基部の下方にて曲折した１つの前記設置足部と、からなる略Ｌ字形状を備えていることを特徴とする自立支持装置。
【請求項５】
請求項２又は請求項３記載の自立支持装置において、
前記第１支持脚部材及び前記第２支持脚部材は、
略直線状に延びる基部と、前記基部の下方から分岐した２つの前記設置足部と、からなる分岐板形状を備えていることを特徴とする自立支持装置。
【請求項６】
請求項５記載の自立支持装置において、
前記第１支持脚部材及び前記第２支持脚部材は、
略逆Ｔ字形状、若しくは、略逆Ｙ字形状を備えていることを特徴とする自立支持装置。
【請求項７】
請求項２乃至請求項６のいずれか１項記載の自立支持装置において、
前記第１支持領域として、洗濯済みの前記衣装を架けたハンガー部材の上部に設けられたフック部又は環状部を吊り下げる第１吊り下げ領域を備えた、室内干し器である
ことを特徴とする自立支持装置。
【請求項８】
請求項２乃至請求項６のいずれか１項記載の自立支持装置において、
前記第１支持領域として、展示用の前記衣装を架けたハンガー部材の上部に設けられたフック部又は環状部を吊り下げる第２吊り下げ領域を備えた、衣装展示什器である
ことを特徴とする自立支持装置。
【請求項９】
請求項２乃至請求項６のいずれか１項記載の自立支持装置において、
前記第１支持領域として、使用中の前記衣装を架けたハンガー部材の上部に設けられたフック部又は環状部を吊り下げる第３吊り下げ領域を備えた、衣装掛けラックである
ことを特徴とする自立支持装置。
【請求項１０】
請求項２乃至請求項６のいずれか１項記載の自立支持装置において、
前記第２支持領域として、和服である前記衣装を架け置きする和服掛け領域を備えた、衣紋掛け具である
ことを特徴とする自立支持装置。
【請求項１１】
請求項２乃至請求項６のいずれか１項記載の自立支持装置において、
前記第２支持領域として、前記寝具を架け置きする寝具掛け領域を備えた、布団干し器である
ことを特徴とする自立支持装置。
【発明の詳細な説明】
【技術分野】
【０００１】
本発明は、自立支持装置及び簡易物干し器に関する。
【背景技術】
【０００２】
従来、着物を掛けるための衣桁が知られている（例えば、特許文献１参照）。この従来技術の衣桁では、特許文献１の図２〜図３、及び段落［００１３］〜［００１５］等に示すように、架台３と、その上端に支持される横棒５とを備えていることが記載されている。
【先行技術文献】
【特許文献】
【０００３】
【特許文献１】実用新案登録第３１２０３２９号公報
【発明の概要】
【発明が解決しようとする課題】
【０００４】
上記従来技術の衣桁では、横棒を穴に通すのではなく、架台の上端の穴に、横棒に予め備わっている突起をはめ込むようになっており、架台自体は、複雑な固定構造を有している。この衣桁を分解しても、横棒と架台とにしかならず、収納時に十分コンパクトにすることができず、場所をとってしまうという問題があった。また組み立てや分解も煩雑となるという問題があった。
【０００５】
本発明の目的は、収納時に場所をとらず、簡単に組み立てや分解をすることができる自立支持装置を提供することにある。
【課題を解決するための手段】
【０００６】
上記目的を達成するために、本願発明は、自立支持装置であって、設置面に対し接地する設置足部をそれぞれ備え、単独自立不能な第１支持脚部材及び第２支持脚部材と、前記第１支持脚部材及び前記第２支持脚部材の上端部近傍にそれぞれ孔設された第１貫通孔及び第２貫通孔と、前記第１支持脚部材の前記第１貫通孔と前記第２支持脚部材の前記第２貫通孔とに遊嵌される棒部材と、を有し、前記棒部材が、前記第１支持脚部材を前記第２支持脚部材側に傾かせるとともに前記第２支持脚部材を前記第１支持脚部材側に傾かせた状態で前記第１貫通孔及び前記第２貫通孔に略水平な姿勢で挿抜自在に挿通されることにより、前記第１支持脚部材と略水平な姿勢の前記棒部材とが互いに係止されるとともに前記第２支持脚部材と略水平な姿勢の前記棒部材とが互いに係止されて、前記第１支持脚部材、前記第２支持脚部材、前記棒部材による自立連設体が構築され、前記自立連設体に備えられる前記棒部材を、衣装を吊り下げるための第１支持領域、若しくは、前記衣装又は寝具を掛置きするための第２支持領域としたことを特徴としている。
【０００７】
棒部材と、支持脚部材とを、ネジやナットなどの工具で固定したり、互いをはめこみ構造等により固定する構造ではなく、支持脚部材の貫通孔に棒部材を通すだけの簡単な構造なので、収納時に場所をとらず、組み立て及び分解も簡単、かつ安価である。
【０００８】
また、用途や好みに応じて第１又は第２支持領域の左右方向長さを変えることができるので、色々な使用方法に対応することができ便利である。さらに、自立支持装置を組み立ててから時間がたち、経年劣化したときも棒部材を支持脚部材の貫通孔に通し直すことで、２つの設置脚部による平面性を復帰させ、安定性を復活させることができる。
【発明の効果】
【０００９】
本発明の自立支持装置及び簡易物干し器によれば、収納時に場所をとらず、簡単に組み立てや分解をすることができる。
【図面の簡単な説明】
【００１０】
【図１】本発明の第１実施形態の自立支持装置の斜視図である。
【図２】本発明の第１実施形態の自立支持装置の斜視図である。
【図３】図１の自立支持装置の分解斜視図である。
【図４】図１の自立支持装置の組立手順を示す概念図である。
【図５】自立支持装置に働く力の作用について説明する概念図である。
【図６】自立支持装置を室内干し器として使用した例を示す斜視図である。
【図７】自立支持装置を衣装展示什器として使用した例を示す斜視図である。
【図８】自立支持装置を衣装掛けラックとして使用した例を示す斜視図である。
【図９】自立支持装置を布団干し器として使用した例を示す斜視図である。
【図１０】棒部材が２本ある変形例に係る斜視図である。
【図１１】図１０の自立支持装置を衣紋掛け具として使用した例を示す斜視図である。
【図１２】第１支持脚部材２及び第２支持脚部材３が略Ｌ字状である変形例に係る斜視図である。
【図１３】第１支持脚部材２がその他の構造である変形例に係る斜視図である。
【図１４】支持脚部材が３本ある変形例に係る斜視図である。
【図１５】図１４の自立支持装置の使用例を示す斜視図である。
【図１６】本発明の第２実施形態の分解斜視図です
【図１７】本発明の第２実施形態の斜視図です。
【図１８】本発明の第２実施形態の正面図です。
【発明を実施するための形態】
【００１１】
本発明の自立支持装置によれば、収納時に場所をとらず、簡単に組み立てや分解をすることができる。
【００１２】
＜第１実施形態及び変形例＞
本発明の第１実施形態及びその変形例を図１〜図１５により説明する。
【００１３】
図１は本発明に係る第１実施形態の自立支持装置１の斜視図である。自立支持装置１は単独自立不可能な第１支持脚部材２及び第２支持脚部材３を備える。また、第１支持脚部材２及び第２支持脚部材３は接地面（図示なし）に対し接地する設置足部４をそれぞれ備える。
【００１４】
第１支持脚部材２及び第２支持脚部材３の上端部近傍にはそれぞれ第１貫通孔５及び第２貫通孔６が孔設されている。自立支持装置１は第１支持脚部材２の第１貫通孔５と第２支持脚部材３の第２貫通孔６とに遊嵌される棒部材７を有する。
【００１５】
棒部材７が、第１支持脚部材２を第２支持脚部材３側に傾かせるとともに第２支持脚部材３を第１支持脚部材２側に傾かせた状態で第１貫通孔５及び第２貫通孔６に略水平な姿勢で挿抜自在に挿通されることにより、第１支持脚部材２と略水平な姿勢の棒部材７とが互いに係止されるとともに第２支持脚部材３と略水平な姿勢の棒部材７とが互いに係止されて、第１支持脚部材２、第２支持脚部材３、棒部材７による自立連設体８が構築されている。
【００１６】
第１支持脚部材２、第２支持脚部材３、棒部材７による自立連設体８は、側面視で略等脚台形状となる支持構造を形成している。この図に示される方角は、それぞれ接地面に垂直に向かう下方向と、下方向と逆方向の上方向からなる上下方向、及び上下方向に直交する左右方向と前後方向である。この図では、前後方向から見た場合を側面視とする。棒部材７はこの図では左右方向に延在している。同様の方角が図４〜５にも適宜適用される。
【００１７】
この図では、第１支持脚部材２の第１貫通孔５の周辺及び第２支持脚部材３の第２貫通孔６の周辺に縁取り部材９が備えられているが、縁取り部材９が設けられていなくてもよい。
【００１８】
自立支持装置１の各部材の材質は特に限定されるものではないが、例えば木材により構成されている。
【００１９】
図２に、第１実施形態に係る自立支持装置１の別の斜視図を示す。この図では、第１支持脚部材２と第２支持脚部材３との間の間隔が図１よりも狭くなっている。第１支持脚部材２と第２支持脚部材３との間の間隔は目的や用途に応じて変更することができる。
【００２０】
図３は図１の自立支持装置１の分解斜視図である。自立支持装置１は、第１支持脚部材２と第２支持脚部材３と棒部材７とに分解される。
【００２１】
第１支持脚部材２と第２支持脚部材３とは互いに傾けられた状態で設置されるため、図３の拡大図に示されるように、第１貫通孔５及び第２貫通孔６の内径は、棒部材７の外径よりも少し大きくなっている。具体的には、第１貫通孔５及び第２貫通孔６の内径は、棒部材７の外径の１１０％以上１１６％以下の大きさである。
【００２２】
第１支持脚部材２及び第２支持脚部材３は、略直線状に延びる基部１０と、前記基部の下方から分岐した２つの設置足部４と、からなる分岐板形状を備えている。この図では、第１支持脚部材２及び第２支持脚部材３は略逆Ｔ字形状を備えている。
【００２３】
図４は図１の自立支持装置１の組立手順の一例を示す概念図である。組立手順は工程（Ａ）〜（Ｄ）を含む。
【００２４】
工程（Ａ）は第１支持脚部材２、第２支持脚部材３及び棒部材７がそれぞれ分解された状態である。
【００２５】
次いで工程（Ｂ）において、設置足部４をそれぞれ床面Ｇに向け、第１支持脚部材２の第１貫通孔５、及び第２支持脚部材３の第２貫通孔６に棒部材７を挿通させる。
【００２６】
工程（Ｃ）において、第１支持脚部材２を第２支持脚部材３側に傾かせるとともに第２支持脚部材３を第１支持脚部材２側に傾かせた状態で互いの間隔を左右方向に広げる。この時接地面に垂直な方向に対して第１支持脚部材２及び第２支持脚部材３のなす角θが略１０度となるように傾かせると安定性が向上し特に好ましい。
【００２７】
第１支持脚部材２及び第２支持脚部材３を左右方向にスライドさせて所望の間隔に広げれば自立支持装置１が構成される。
【００２８】
図５は、自立支持装置１に働く力の作用について説明する概念図である。
【００２９】
床面Ｇに設置された自立支持装置１は、第１支持脚部材２及び第２支持脚部材３を支柱とし、棒部材７を支持する。第１支持脚部材２及び第２支持脚部材３の下端近傍がハの字状に広がることにより、第１支持脚部材２及び第２支持脚部材３の下端に力点による力Ｆが働き、第１支持脚部材２及び第２支持脚部材３の上端に作用点による力Ｓが働く。棒部材７は力Ｓから床面Ｇに向かう下方向の力Ｔを受け、安定性を得る。
【００３０】
また、棒部材７に物を吊り下げた時にはその加重による作用としての力Ｕが棒部材７に働き、及びその反作用による力Ｐ、Ｑが第１支持脚部材２及び第２支持脚部材３に働く。
【００３１】
また、第１支持脚部材２及び第２支持脚部材３は上述の力の作用に加えて床面Ｇとの間に摩擦力が働くことにより自立している。床面Ｇが滑らかな素材である時などには摩擦力が働きにくくなるので、自立支持装置１の設置足部４を木製など摩擦を生じやすい素材とする等して調整することができる。
【００３２】
図６は自立支持装置１を室内干し器１１として使用した例を示す斜視図である。自立支持装置１の棒部材７は、衣装１２を吊り下げるための第１支持領域１３とすることができる。室内干し器１１は、第１支持領域１３として、洗濯済みの衣装１２を架けたハンガー部材１４の上部に設けられたフック部１６を吊り下げる第１吊り下げ領域１５を備える。フック部１６は環状部であってもよい。
【００３３】
室内干し器１１は家庭用の洗濯物を干すものであって、洗濯済みの衣装１２としては、通常家庭で洗濯をする衣服全般を含む。これらは洋服であっても和服であってもよく、その他にも、靴下やタオル等も干すことができる。
【００３４】
図７は自立支持装置１を衣装展示什器１７として使用した例を示す斜視図である。衣装展示什器１７は、第１支持領域１３として、展示用の衣装１２を架けたハンガー部材１４の上部に設けられたフック部１６又は環状部を吊り下げる第２吊り下げ領域１８を備える。フック部１６は環状部であってもよい。衣装展示什器１６は、店舗等において販売や展示用の衣類全般を展示用の衣装１２として展示するものである。この図では、第１支持脚部材２及び第２支持脚部材３に第１貫通孔５及び第２貫通孔６がそれぞれ２つずつ孔設されている。
【００３５】
図８は自立支持装置１を衣装掛けラック１９として使用した例を示す斜視図である。衣装掛けラック１９は、第１支持領域１３として、使用中の衣装１２を架けたハンガー部材１４の上部に設けられたフック部１６を吊り下げる第３吊り下げ領域２０を備える。衣装掛けラック１９は一般家庭内においてユーザが例えばクロゼットがわりに使用する目的で、使用する衣装１２としては日々使用する衣類の他、オフシーズンの衣類、例えば冬場のコートやジャケット等を含む。また衣装掛けラックにスカーフやマフラー、帽子などの装身具や鞄などを適宜吊り下げることもできる。
【００３６】
図９は自立支持装置１を布団干し器２１として使用した例を示す斜視図である。自立支持装置１は、棒部材７を、衣装１２又は寝具２２を掛置きするための第２支持領域２３とすることができる。布団干し器２１は、第２支持領域２３として、寝具２２を架け置きする寝具掛け領域２４を備える。この図では寝具２２として敷布団を掛けているが上掛け布団、毛布、シーツなども寝具２２に含まれる。
【００３７】
＜第１実施形態の効果＞
第１支持脚部材２と第２支持脚部材３と棒部材７とをネジやナット等で固定したり、はめこみ構造等により固定する構造ではなく、第１貫通孔５及び第２貫通孔６に棒部材７を通すだけの簡単な構造なので、収納時に場所をとらず、組み立て及び分解も簡単であり、かつ安価に製造することができる。
【００３８】
また、図２に示すように、第１支持脚部材２と第２支持脚部材３の間隔を変更することで、第１支持領域１３又は第２支持領域２３の左右方向の長さを変えることができるので様々の用途やユーザの好みに対応することができ便利である。経年劣化したときにも棒部材７を第１貫通孔５及び第２貫通孔６に通し直すことで、２つの設置足部４による平面性を復帰でき、自立支持装置１の安定性を復活させることができる。
【００３９】
また、本実施形態では特に、第１支持脚部材２、第２支持脚部材３、棒部材７による自立連設体８が側面視で略等脚台形状となる支持構造を形成するように組み上がることで、左右のバランスを整えることができ、確実に安定させることができる。
【００４０】
このため、第１支持脚部材２及び第２支持脚部材３のように、単独では自立不可能な、平板状などのシンプルな構造の支柱であっても、ネジやナットなどの工具も必要なく安定的に自立させることができるので、自立支持装置１の組立分解が簡単であり、製造コストが低減でき、分解時にも場所を取りにくい。
【００４１】
また、本実施形態では特に、自立支持装置１の第１貫通孔５及び第２貫通孔６の内径が棒部材７の外径の１１０％以上１１６％以下の大きさであることで、緩すぎずきつすぎない適正な遊嵌状態を確実に実現することができる。また、特に、第１貫通孔５及び第２貫通孔６の内径が棒部材７の外径の１１０％以上１１６％以下の大きさであることにより、第１支持脚部材２及び第２支持脚部材３の接地面に垂直な方向に対する傾きθを略１０度となるように調整しやすく、安定性を向上させることができる。
【００４２】
また、本実施形態では特に、第１支持脚部材２及び第２支持脚部材３が略直線状に延びる基部１０と、基部１０の下方から分岐した２つの設置足部４とからなる分岐板形状を備える場合には、分岐した２つの設置足部４によって、第１支持脚部材２及び第２支持脚部材３が略Ｌ字状の場合に比べて安定性がより高い。
【００４３】
また、本実施形態では特に、第１支持脚部材２及び第２支持脚部材３が略逆Ｔ字形状、若しくは、略逆Ｙ字形状を備えている場合には、前記分岐板形状を安価に実現することができる。
【００４４】
また、本実施形態では特に、自立支持装置１を通常家庭で洗濯をする衣類全般を室内干しする、家庭用室内干し器１１として利用することができる。
【００４５】
また、本実施形態では特に、自立支持装置１を店舗における販売や展示用の衣類全般を展示する、店舗用の衣装展示什器１７として利用することができる。
【００４６】
また、本実施形態では特に、自立支持装置１を冬場のコートやダウンジャケット類、日々使用する洋服等を吊り下げる、家庭用の衣装掛けラック１９として利用することができる。
【００４７】
また、本実施形態では特に、自立支持装置１を上掛け布団、敷布団、毛布、シーツ等を架け置きする布団干し器２１として利用することができる。
【００４８】
＜第１実施形態の変形例＞
なお、上記第１実施形態は、上記の態様に限られるものではなく、その趣旨及び技術的思想を逸脱しない範囲内で種々の変形が可能である。以下、そのような変形例について順次説明する。
【００４９】
（１）棒部材７が複数本ある場合
図１０は棒部材７が複数本ある変形例に係る自立支持装置１の斜視図である。この図では、第１支持脚部材２及び第２支持脚部材３はそれぞれ２つずつの第１貫通孔５及び第２貫通孔６を備えており、２本の棒部材７が第１支持脚部材２及び第２支持脚部材３に挿通されている。棒部材７は３本以上であってもよい。
【００５０】
図１１は図１０の自立支持装置１を衣紋掛け具２５として使用した例を示す斜視図である。衣紋掛け具２５は、衣装１２を掛置きするための第２支持領域２３として、和服である衣装１２を架け置きする和服掛け領域２６を備える。和服は和装の着物等である。衣紋掛け具２５は家庭または店舗において使用することができる。
【００５１】
この変形例の自立支持装置１を用いれば、第１支持領域１３及び第２支持領域２３を増やすことができ、また自立支持装置１のデザインを変更することができるので、様々の目的や用途に自立支持装置１を用いることができる。
【００５２】
（２）第１支持脚部材２及び第２支持脚部材３が略Ｌ字状の場合
図１２は第１支持脚部材２及び第２支持脚部材３が略Ｌ字状である変形例に係る斜視図である。この図では、自立支持装置１の第１支持脚部材２及び第２支持脚部材３は、略直線状に延びる基部１０と、基部１０の下方にて曲折した１つの設置足部４とからなる略Ｌ字形状を備える。
【００５３】
この変形例の自立支持装置１によれば、第１支持脚部材２及び第２支持脚部材３が逆Ｔ字型の場合に比べて、足元が邪魔になりにくいので、家庭または店舗における設置場所、例えば壁際に自立支持装置１を置きたい等の都合に適宜対応することが可能である。
【００５４】
（３）第１支持脚部材２がその他の構造の場合
図１３に第１支持脚部材２の形状のその他のバリエーションを示す。この図では、第１支持脚部材２を第１貫通孔５が孔設された側から見た側面図で示している。この図では第１支持脚部材２についてのみ図示しているが、第２支持脚部材３についても同様の形状となっている。
【００５５】
図１３の（ａ）では設置足部４は内側が空洞の半球形状である。図１３の（ｂ）では設置足部４は内側が空洞の長方形状である。図１３の（ｃ）では設置足部４は内側が空洞の台形状である。図１３の（ｄ）では設置足部４は内側が空洞の三角形状である。図１３の（ｅ）では基部１０に２枚の略台形状の板片が取り付けられて設置足部４を構成している。図１３の（ｆ）は略Ｔ字形状の第１支持脚部材２の設置足部４の一部が切り欠かれた形状である。これに限らず略Ｌ字形状の第１支持脚部材２の設置足部４の一部を切り欠いた形状であってもよい。
【００５６】
図１３の（ｄ）、（ｅ）では、第１支持脚部材２は、略直線状に延びる基部１０と、基部１０の下方から分岐した設置足部４とからなる略逆Ｙ字形状の分岐板形状を備えている。
【００５７】
このような変形例の自立支持装置１を用いれば自立支持装置の安定性を向上させることができたり、自立支持装置１のデザインを適宜変更することが可能である。また、第１支持脚部材２及び第２支持脚部材３が略逆Ｙ字形状の場合には、分岐板形状を安価に実現できる。
【００５８】
（４）支持脚部材が３本以上ある場合
図１４は支持脚部材が３本ある変形例に係る斜視図である。この図の自立支持装置１は、第１支持脚部材２と第２支持脚部材３との間に第３支持脚部材２７を備える。また棒部材７が３本あり、上端の棒部材７は第１支持脚部材２と第２支持脚部材３と第３支持脚部材２７とにそれぞれ挿通され、中間と下端の棒部材７は第１支持脚部材２と第３支持脚部材２７とにそれぞれ挿通されている。
【００５９】
図１５は図１４の自立支持装置１の使用例を示す斜視図である。この自立支持装置１は棒部材７のうち第３支持脚部材２７と第２支持脚部材３の間の領域を衣装１２を吊り下げるための第１支持領域１３として使用し、さらには普段使用する衣装１２をクロゼットかわりに吊り下げる第３吊り下げ領域２０として使用している。また棒部材７のうち第１支持脚部材２と第３支持脚部材２７の間の領域に、板２８を乗せて雑貨などを置く棚領域２９として使用している。
【００６０】
この変形例の自立支持装置１によれば、様々の用途や目的に応じて自立支持装置１の各領域のレイアウトやデザインの変更を行うことができる。
【００６１】
＜第２実施形態＞
本発明の第２実施形態を図１６〜１８により説明する。
【００６２】
［第２実施形態の属する技術の分野］
本発明は、どこにでも干せ、収納にもかさばらず、安価に提供できる簡易物干し器に関する。
【００６３】
［第２実施形態に係わる技術］
太古より、洗濯は人類が衣服を発明してから連綿と続く人類永遠のテーマでありました。古代の人類は、自然に生えている木と木の間に、これまた自然に生えている葛蔓を渡して、蔓が乾燥してしっかりしてから、洗濯物を干したと考えられています。時代が下ると、棒きれを土に刺して棒きれの先端同士に紐を張り、洗濯物を干しました。更に、竹が移入されると、物干し台の上に竹製の物干し竿を載せ、洗濯物を天日干しするようになりました。
最近では、外に洗濯物を干すと、下着泥棒ではないが、盗難される危険性が増してきたことから、室内干しが多く見受けられる。あるいは、コインランドリーで、洗濯乾燥まで一気にやってしまうことも流行っていると聞きます。
ここでは、多くの主婦は全自動の洗濯機を持っているのに、電気乾燥まではしないで、室内干しをするというエコノミーな選択をしていることに着目した従来品の検討をしてみます。代表的な室内干しの物干し器の構造は、キャスター付きの台の上に、支柱となる金属あるいはプラスチックのポールをボルトとナットで固定し、向こう側とこちら側の２つの支柱となるポールの先端に、ハンガーを掛けるポールを渡し、これもネジでしっかり締めあげて、真っ平らな床の上に、垂直に立つ物干し器というイメージでした。
床の上を簡単に移動できるように、キャスターがついているのもあります。支柱が傾いたら、「ドライバーでネジを締めなおしてください。そうすれば、いつまでも使い続けられます」、というコンセプトの製品でした。
その他にも、傘が開閉するように、洗濯物を干すときは広げ、仕舞うときには閉じるようにする物干し器がありますが、収納時には背が高く、圧迫感が否めない代物でした。
【００６４】
［第２実施形態に係わる技術課題］
究極の物干し器とは、どの要素があれば可能なのかを追求したところ、二つの支柱と一本の棒があれば、ハンガーなどを吊るすことができ、機能することに気が付きました。従って、ネジやボルト、ナットでギュウギュウ締め上げる必要もなく、収納時は、棒を支柱の穴から抜いて、部屋の片隅に立てかければ、それで済んでしまうという、力も使わなければ場所も取らない簡易な物干し器です。
［第２実施形態に係わる技術手段］
本発明者は、これらの課題を解決するために、支柱となる板に空ける穴の直径を棒の直径よりも２０パーセント前後大きくして、二本の支柱となる板を垂直に立てたときに、グラグラする状態になるようにしました。この状態から二本の支柱となる板を片仮名のハの字の形に裾を拡げてやり、物干し器を安定させてからハンガーを掛けるようにします。因みに、この時、垂直に対して１０度程の傾きを与えて、安定性を得ます。
【００６５】
［第２実施形態に係わる技術形態］
以下、 本発明について詳細に説明します。支柱となる板は厚さが２０ｍｍ、 幅が９０ｍｍ、高さが１５００ｍｍで、その額に直径３６ｍｍの穴を空け、その裏側に補強の板を貼り付け、市販の直径３０ｍｍのステンレスの伸縮型の物干し竿を通して完了します。
ただし、座りをよくするために、支柱板の下に、厚さが ２０ｍｍ、幅が６００ｍｍ、高さが９０ｍｍの台をボルト、ナットで留めるようにしました。
【００６６】
［第２実施形態に係わる実施例］
以下に実施例を示し、本発明を詳細に説明します。ここでは、支柱がハの字に広がった状態なので、物干しができます。そして、洗濯物が棒に掛かる度に重さが増して、物干し器がより安定します。
また、棒が支柱に固定されていないので、床面が多少凸凹していても、支柱が床面をしっかり捉えるので、建付けの悪い家のフローリングでも使用できます。
【００６７】
[第２実施形態に係わる効果］
本発明の簡易物干し器は、接地面の悪い床でもしっかりと床面を捉え、安定して洗濯物を干せ、干し終わったら簡単に分解でき、コンパクトに収納できます。また、価格も低く抑えることも可能です。
また、アウトドアのときにも、二組の物干し器を体の前後に設置して、蚊帳を張ることもできます。
また、玄関に置いて、コート掛けにも使えます。
【００６８】
＜各実施形態に共通の付記＞
なお、以上の説明において、「垂直」「平行」「平面」等の記載がある場合には、当該記載は厳密な意味ではない。すなわち、それら「垂直」「平行」「平面」とは、設計上、製造上の公差、誤差が許容され、「実質的に垂直」「実質的に平行」「実質的に平面」という意味である。
【００６９】
なお、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【００７０】
また、以上既に述べた以外にも、上記実施形態や各変形例による手法を適宜組み合わせて利用しても良い。
【００７１】
その他、一々例示はしないが、本発明は、その趣旨を逸脱しない範囲内において、種々の変更が加えられて実施されるものである。
【符号の説明】
【００７２】
１                自立支持装置
２                第１支持脚部材
３                第２支持脚部材
４                設置足部
５                第１貫通孔
６                第２貫通孔
７                棒部材
８                自立連設体
９                縁取り部材
１０              基部
１１              室内干し器
１２              衣装
１３              第１支持領域
１４              ハンガー部材
１５              第１吊り下げ領域
１６              フック部
１７              衣装展示什器
１８              第２吊り下げ領域１７
１９              衣装掛けラック
２０              第３吊り下げ領域
２１              布団干し器
２２              寝具
２３              第２支持領域
２４              寝具掛け領域
２５              衣紋掛け具
２６              和服掛け領域
２７              第３支持脚部材
２８              板
２９              棚領域
１０１            穴の空いた板 (支柱)
１０２            棒
【要約】      （修正有）【課題】収納時に場所をとらず、簡単に組み立てや分解をすることができる自立支持装置及び簡易物干し器を提供する。【解決手段】設置足部４をそれぞれ備えた第１支持脚部材２及び第２支持脚部材３と、第１支持脚部材２及び第２支持脚部材３に孔設された第１貫通孔５及び第２貫通孔６と、棒部材７とを有し、棒部材７が、第１支持脚部材２を第２支持脚部材３側に傾かせるとともに第２支持脚部材３を第１支持脚部材２側に傾かせた状態で第１貫通孔５及び第２貫通孔６に略水平な姿勢で挿通されることにより、第１支持脚部材２と棒部材７とが互いに係止されるとともに第２支持脚部材３と棒部材７とが互いに係止されて、第１支持脚部材２、第２支持脚部材３、棒部材７による自立連設体８が構築され、自立連設体８に備えられる棒部材７を、第１支持領域、若しくは、第２支持領域とした、自立支持装置１。【選択図】図１【図１】
0006989189.tif 000002
【図２】
0006989189.tif 000003
【図３】
0006989189.tif 000004
【図４】
0006989189.tif 000005
【図５】
0006989189.tif 000006
【図６】
0006989189.tif 000007
【図７】
0006989189.tif 000008
【図８】
0006989189.tif 000009
【図９】
0006989189.tif 000010
【図１０】
0006989189.tif 000011
【図１１】
0006989189.tif 000012
【図１２】
0006989189.tif 000013
【図１３】
0006989189.tif 000014
【図１４】
0006989189.tif 000015
【図１５】
0006989189.tif 000016
【図１６】
0006989189.tif 000017
【図１７】
0006989189.tif 000018
【図１８】
0006989189.tif 000019